(57)【特許請求の範囲】
【請求項１】
下記一般式（Ｉ−１〜５）のいずれかで表されることを特徴とする染料：
【化１】
0003754718.tif 000053
（上記一般式Ｉ−１〜５中、Ｄは発色団を、Ｒは２又は３価の結合基を、ＩＭは、アルキル基、カルボキシル基、カルボキシル基の塩、スルホン基、スルホン基の塩、燐酸基及び燐酸基の塩からなる群から選ばれた少なくとも１種の原子団で置換された第２級アミン或は第３級アミンの残基を表わし、且つＩＭは少なくとも、カルボキシル基、カルボキシル基の塩、スルホン基及びスルホン基の塩からなる群から選ばれた少なくともひとつの基及び窒素原子を介して炭素数１〜４８のアルキル基を有する。尚、Ｄ、Ｒ及びＩＭは合計で１〜１２個の酸性基を有し、Ｒは、ＩＭ中の窒素原子に結合し、ＩＭは、単独化合物の形態で、下記一般式（II）で表わされる化合物である：
【化２】
0003754718.tif 000054
（上記式（II）中、Ｒ1は炭素数１〜４８のアルキル基又は水素原子を、Ｒ2は、−(ＣＨ2)a−Ｘ1又は水素原子を、Ｒ3は、−(ＣＨ2)b−Ｘ2、Ｒ4−[Ｎ(（ＣＨ2)h−Ｘ4）ＣmＨ2m]e（ＮＨＣpＨ2p)f−又は水素原子を、Ｒ4は炭素数１〜４８のアルキル基又は水素原子を表わす。Ｘ1、Ｘ2、Ｘ3及びＸ4は、夫々カルボキシル基、カルボキシル基の塩、スルホン基、スルホン基の塩及び水素原子から選ばれる。ａ及びｂは１〜７の整数を、ｃ＋ｄ及びｅ＋ｆは０〜５０の整数を、ｇ及びｈは１〜４の整数を、ｌ（エル）、ｎ、ｍ及びｐは２〜４の整数を表わす。但し、一般式（II）の化合物は少なくとも１個のカルボキシル基、カルボキシル基の塩、スルホン基又はスルホン基の塩を有し、且つ少なくとも２個の窒素原子を有する）。
【請求項２】
発色団が、アゾ染料、アントラキノン染料、フタロシアニン染料又はトリフェンジオキサジン染料の残基である請求項１に記載の染料。
【請求項３】
発色団が、ベンゼン又はナフタレンジアゾ成分及びベンゼン、ナフタレン又は単環式ヘテロ芳香性カプラーから誘導されたアゾ染料の残基である請求項２に記載の染料。
【請求項４】
一般式（Ｉ−１〜５）の化合物中の結合基Ｒが、ジクロロトリアジン基、ジクロロキノキサリン基、５−クロロ−４−メチル−２−メチルスルホニルピリミジン基、ビニルスルホン基、２，４−ジフルオロ−５−クロロピリミジン基、モノクロロメトキシトリアジン基、モノクロロトリアジン基、トリクロロピリミジン基、スルホニル基、カルボニル基又はメチレン基である請求項１〜３のいずれか１項に記載の染料。
【請求項５】
下記一般式（Ｉ−１〜５）のいずれかで表される染料を液媒体中に含むことを特徴とするインク：
【化３】
0003754718.tif 000055
（上記一般式Ｉ−１〜５中、Ｄは発色団を、Ｒは２又は３価の結合基を、ＩＭは、アルキル基、カルボキシル基、カルボキシル基の塩、スルホン基、スルホン基の塩、燐酸基及び燐酸基の塩からなる群から選ばれた少なくとも１種の原子団で置換された第２級アミン或は第３級アミンの残基を表わし、且つＩＭは少なくとも、カルボキシル基、カルボキシル基の塩、スルホン基及びスルホン基の塩からなる群から選ばれた少なくともひとつの基及び窒素原子を介して炭素数１〜４８のアルキル基を有する。尚、Ｄ、Ｒ及びＩＭは合計で１〜１２個の酸性基を有し、ＲはＩＭ中の窒素原子に結合し、ＩＭは、単独化合物の形態で、下記一般式（II）で表わされる化合物である：
【化４】
0003754718.tif 000056
（上記式（II）中、Ｒ1は炭素数１〜４８のアルキル基又は水素原子を、Ｒ2は、−(ＣＨ2)a−Ｘ1又は水素原子を、Ｒ3は、−(ＣＨ2)b−Ｘ2、Ｒ4−[Ｎ(（ＣＨ2)h−Ｘ4）ＣmＨ2m]e（ＮＨＣpＨ2p)f−又は水素原子を、Ｒ4は炭素数１〜４８のアルキル基又は水素原子を表わす。Ｘ1、Ｘ2、Ｘ3及びＸ4は、夫々カルボキシル基、カルボキシル基の塩、スルホン基、スルホン基の塩及び水素原子から選ばれる。ａ及びｂは１〜７の整数を、ｃ＋ｄ及びｅ＋ｆは０〜５０の整数を、ｇ及びｈは１〜４の整数を、ｌ（エル）、ｎ、ｍ及びｐは２〜４の整数を表わす。但し、一般式（II）の化合物は少なくとも１個のカルボキシル基、カルボキシル基の塩、スルホン基又はスルホン基の塩を有し、且つ少なくとも２個の窒素原子を有する）。
【請求項６】
発色団が、アゾ染料、アントラキノン染料、フタロシアニン染料又はトリフェンジオキサジン染料の残基である請求項５に記載のインク。
【請求項７】
発色団が、ベンゼン又はナフタレンジアゾ成分及びベンゼン、ナフタレン又は単環式ヘテロ芳香性カプラーから誘導されたアゾ染料の残基である請求項６に記載のインク。
【請求項８】
一般式（Ｉ−１〜５）の化合物中の結合基Ｒが、ジクロロトリアジン基、ジクロロキノキサリン基、５−クロロ−４−メチル−２−メチルスルホニルピリミジン基、ビニルスルホン基、２，４−ジフルオロ−５−クロロピリミジン基、モノクロロメトキシトリアジン基、モノクロロトリアジン基、トリクロロピリミジン基、スルホニル基、カルボニル基又はメチレン基である請求項５〜７のいずれか１項に記載のインク。
【請求項９】
酸性基の対イオンが有機アミンである請求項５〜８のいずれか１項に記載のインク。
【請求項１０】
酸性基の対イオンが有機アミンである一般式（Ｉ）の染料と、酸性基の対イオンが１価の金属である一般式（Ｉ）の染料とを併用する請求項９に記載のインク。
【請求項１１】
インクのｐＨが８以上である請求項５〜１０のいずれか１項に記載のインク。
【請求項１２】
該インクがインクジェット用のインクである請求項５〜１１のいずれか１項に記載のインク。
【請求項１３】
請求項１２に記載のインクをインクジェット方式により吐出する工程を有することを特徴とするインクジェット記録方法。
【請求項１４】
請求項１２に記載のインクを収容しているインク収容部と該インクを滴として吐出するヘッド部とを有していることを特徴とする記録ユニット。
【請求項１５】
請求項５〜１２のいずれか１項に記載のインクを収容しているインク収容部を備えていることを特徴とするインクカートリッジ。
【請求項１６】
請求項１２に記載のインクを収容しているインク収容部及び該インクを滴として吐出させるヘッド部とを備えていることを特徴とするインクジェット記録装置。
【発明の詳細な説明】
【０００１】
【産業上の利用分野】
本発明は、染料及びこれを含むインク、とりわけインクジェット用途に適した染料とインクに関し、更には、このインクを利用するインクジェット記録方法、及びかかるインクを収納しているインク収容部を有する記録ユニット、インクカートリッジ及びインクジェット記録装置に関する。
【０００２】
【従来の技術】
従来から筆記具（万年筆、サインペン、水性ボールペン等）用インク及びインクジェット用インクについては、実に様々な組成のものが報告されている。中でも近年オフィスで一般に使用されているコピー紙、レポート紙、ノート、便箋等での印字記録物の耐水性の要望が高まっており、インクの組成及び物性等の多様な面から詳細な研究がなされている。
【０００３】
例えば、特開昭５９−２７９７３号公報及び特開平２−４１３６９号公報には、イミン化合物を反応させた反応性染料を用いて印字記録物の耐水性を向上させる方法が提案されている。
又、特開昭６１−２７７１号公報、特開昭６１−２７７２号公報、特開昭６１−２７７３号公報及び特開昭６１−２７７４号公報には、ある特定の染料構造に炭素数６〜１８のアルキルアミノ基又はアルコキシアルキルアミノ基を反応させ、染料の耐水性を向上させる方法が提案されている。
【０００４】
【発明が解決しようとしている課題】
しかしながら、この方法では、印字記録物の耐水性を向上させることが出来るが、インクの溶解性が悪く、例えば、インクの固着やノズルの目詰まりが起きる様になる。その為に、溶剤、例えば、多価アルコール（グリコール等）を多量に添加したり、溶解性の強い溶剤を用いなくてはならなくなる。そうすると今度は、印字品位、例えば、文字のシャープさ等が低下してしまう。
又、特開昭６２−１６２３２号公報には、多価アルコール、ホルムアミド類、ヒドロキシピロリドン類等を反応させた反応性染料を用いて印字記録物の耐水性を向上させる方法が提案されている。しかしながら、この場合も溶剤を多く使用する為、印字記録物の画像品位が低下してしまう。
【０００５】
又、特開平２ー４１３６９号公報には、ポリアミンと反応させた染料を用いて、印字記録物の耐水性を向上させる方法が提案されている。しかしながらこの場合には、染料の水溶液中での安定性が悪く、固着や目詰まりが起こり易くなる。又、水溶液中での染料の安定性を良好にしようとすると、印字物の耐水性が低下し易くなる。
一方、特開昭５７−５９９６９号公報には、酸性染料の酸性基にアミノカルボン酸を反応させた染料により、染料の耐水性を向上させる方法が提案されているが、画像品位に悪影響を与えるという問題がある。
【０００６】
従って、本発明の目的は、一般のオフィス等で使用されている酸性紙、中性紙等の普通紙に対して印字記録を行った場合、印字記録の画像品位に悪影響を与えず、十分な耐水性を有する染料、又、かかる染料の溶解安定性もあり、耐目詰まり性も良好なインク、これを用いたインクジェット記録方法、記録ユニット、インクカートリッジ及びインクジェット記録装置を提供することにある。
【０００７】
【課題を解決する為の手段】
上記目的は以下の本発明によって達成される。即ち、本発明にかかる染料は、下記一般式（Ｉ−１〜５）のいずれかで表されることを特徴とするものである：
【化５】
0003754718.tif 000002
（上記一般式Ｉ−１〜５中、Ｄは発色団を、Ｒは２又は３価の結合基を、ＩＭは、アルキル基、カルボキシル基、カルボキシル基の塩、スルホン基、スルホン基の塩、燐酸基及び燐酸基の塩からなる群から選ばれた少なくとも１種の原子団で置換された第２級アミン或は第３級アミンの残基を表わし、且つＩＭは少なくとも、カルボキシル基、カルボキシル基の塩、スルホン基及びスルホン基の塩からなる群から選ばれた少なくともひとつの基及び窒素原子を介して炭素数１〜４８のアルキル基を有する。尚、Ｄ、Ｒ及びＩＭは合計で１〜１２個の酸性基を有し、Ｒは、ＩＭ中の窒素原子に結合し、ＩＭは、単独化合物の形態で、下記一般式（II）で表わされる化合物である：
0003754718.tif 000003
（上記式（II）中、Ｒ1は炭素数１〜４８のアルキル基又は水素原子を、Ｒ2は、−(ＣＨ2)a−Ｘ1又は水素原子を、Ｒ3は、−(ＣＨ2)b−Ｘ2、Ｒ4−[Ｎ(（ＣＨ2)h−Ｘ4）ＣmＨ2m]e（ＮＨＣpＨ2p)f−又は水素原子を、Ｒ4は炭素数１〜４８のアルキル基又は水素原子を表わす。Ｘ1、Ｘ2、Ｘ3及びＸ4は、夫々カルボキシル基、カルボキシル基の塩、スルホン基、スルホン基の塩及び水素原子から選ばれる。ａ及びｂは１〜７の整数を、ｃ＋ｄ及びｅ＋ｆは０〜５０の整数を、ｇ及びｈは１〜４の整数を、ｌ（エル）、ｎ、ｍ及びｐは２〜４の整数を表わす。但し、一般式（II）の化合物は少なくとも１個のカルボキシル基、カルボキシル基の塩、スルホン基又はスルホン基の塩を有し、且つ少なくとも２個の窒素原子を有する）。
また本発明の一実施態様にかかるインクは、下記一般式（Ｉ−１〜５）のいずれかで表される染料を液媒体中に含むことを特徴とするものである：
0003754718.tif 000004
（上記一般式Ｉ−１〜５中、Ｄは発色団を、Ｒは２又は３価の結合基を、ＩＭは、アルキル基、カルボキシル基、カルボキシル基の塩、スルホン基、スルホン基の塩、燐酸基及び燐酸基の塩からなる群から選ばれた少なくとも１種の原子団で置換された第２級アミン或は第３級アミンの残基を表わし、且つＩＭは少なくとも、カルボキシル基、カルボキシル基の塩、スルホン基及びスルホン基の塩からなる群から選ばれた少なくともひとつの基及び窒素原子を介して炭素数１〜４８のアルキル基を有する。尚、Ｄ、Ｒ及びＩＭは合計で１〜１２個の酸性基を有し、Ｒは、ＩＭ中の窒素原子に結合し、ＩＭは、単独化合物の形態で、下記一般式（II）で表わされる化合物である：
0003754718.tif 000005
（上記式（II）中、Ｒ1は炭素数１〜４８のアルキル基又は水素原子を、Ｒ2は、−(ＣＨ2)a−Ｘ1又は水素原子を、Ｒ3は、−(ＣＨ2)b−Ｘ2、Ｒ4−[Ｎ(（ＣＨ2)h−Ｘ4）ＣmＨ2m]e（ＮＨＣpＨ2p)f−又は水素原子を、Ｒ4は炭素数１〜４８のアルキル基又は水素原子を表わす。Ｘ1、Ｘ2、Ｘ3及びＸ4は、夫々カルボキシル基、カルボキシル基の塩、スルホン基、スルホン基の塩及び水素原子から選ばれる。ａ及びｂは１〜７の整数を、ｃ＋ｄ及びｅ＋ｆは０〜５０の整数を、ｇ及びｈは１〜４の整数を、ｌ（エル）、ｎ、ｍ及びｐは２〜４の整数を表わす。但し、一般式（II）の化合物は少なくとも１個のカルボキシル基、カルボキシル基の塩、スルホン基又はスルホン基の塩を有し、且つ少なくとも２個の窒素原子を有する）。
そして本発明の特に好ましい態様としては、上記のインクをインクジェット用インクとして用いる態様が挙げられる。
また本発明の一実施態様にかかるインクジェット記録方法は、上記のインクをインクジェット方式により吐出する工程を有することを特徴とするものである。
また本発明の一実施態様にかかる記録ユニットは、上記のインクジェット用インクを収容しているインク収容部と該インクを滴として吐出するヘッド部とを有していることを特徴とするものである。
また本発明の一実施態様にかかるインクカートリッジは、前記したインクを収容しているインク収容部を備えていることを特徴とするものである。
また本発明の一実施態様にかかるインクジェット記録装置は、前記したインクジェット用インクを収容しているインク収容部及び該インクを滴として吐出するヘッドとを備えていることを特徴とするものである。
【００１０】
【作用】
本発明者は、水溶性染料による印字記録物の耐水性を向上させる為に、様々な染料について鋭意検討を行った結果、アルキル基、カルボキシル基、カルボキシル基の塩、スルホン基及びスルホン基の塩からなる群から選ばれた少なくとも１種の原子団で置換された第２級アミン或は第３級アミンと反応した発色団からなる特定の染料は、水に対する溶解性が良好であり、且つ被記録材上に乗った時は、該染料が水に対して難溶性になることを知見し、又、この染料を色材として含有することを特徴としたインクは、形成された画像品位を損なうことなく、例えば、通常のインクでフェザリングが発生する普通紙においても、フェザリングを防止することが出来、且つ得られた印字記録物の耐水性の向上が達成され、又、インクの溶解安定性、耐目詰まり性及び耐凝集性も良好なインクであることを知見して本発明を完成した。更に、かかるインクをインクジェット記録に使用してもインクジェット記録システムの信頼性を損なうことがないことを知見して本発明を完成した。
【００１１】
【好ましい実施態様】
次に好ましい実施態様を挙げて本発明を更に詳しく説明する。
本発明の染料における発色団としては、構造的には、アゾ染料、アントラキノン染料、フタロシアニン染料及びトリフェンジオキサジン染料等の残基を使用することが出来、これらの染料残基は酸性基を１分子中に１〜５個有することが好ましい。これらの酸性基としては、カルボキシル基、燐酸基及び／又はスルホン基が好ましく、特にスルホン基が好ましい。酸性基が２個以上存在する場合は同一であっても異なってもよい。又、ｐＨ８以上で染料の水に対する溶解度が１％以上であることが好ましく、ｐＨ９以上で溶解性が２％以上であれば更に好ましい。
【００１２】
発色団として好ましいアゾ染料は、ベンゼン又はナフタリンジアゾ成分及びベンゼン、ナフタリン又は単環式カップラーから誘導されたモノ−又はビス−アゾ染料であり、好ましい単環式ヘテロ芳香族カップラーはピリドン及びピラゾロンである。好ましいジアゾ成分及びカップラーは、水溶性染料、特に直接染料、酸性染料及びセルロース反応性染料（一般にヒドロキシ、アミノ、Ｃ1〜Ｃ4−アルキルアミノ、ジ−（Ｃ1〜Ｃ4−アルキル）アミノ、フェニルアミノ、ナフチルアミノ、アセチルアミノ、ニトロ、シアノ、Ｃ1〜Ｃ4−アルキル、Ｃ1〜Ｃ4−アルコキシ、トリフルオロメチル、ハロゲン、特に塩素及び臭素及び特に水溶性を生じる酸性基、例えば、カルボキシル基、燐酸基及びスルホン酸基から選択された置換分を有する）の製造に典型的に使用されるものである。
【００１３】
これらのアゾ染料の１例としては、遊離酸の形態で下記の一般式（Ａ）を有する染料等が挙げられる。
【化６】
0003754718.tif 000006
（ここでＷはカルボキシル基、Ｘは水素原子又はカルボキシル基、Ｙは水素原子、ＯＨ又はスルホン基、Ｚは水素原子、カルボキシル基又はスルホン基であり、又、カルボキシル基の数はスルホン基の数に等しいか、それより大きいことを条件とする。Ｒは２〜３価の結合基を示し、又、染料１分子中に２〜４個のカルボキシル基が存在することが好ましい。又、Ｒ中にカルボキシル基を有してもよい。）
【００１４】
そして少なくとも２個、より好ましくは少なくとも３個のカルボキシル基が芳香族炭素原子に直接結合していることが好ましい。Ｘが水素原子であるとき、Ｗはアゾ基に対してオルト、メタ又はパラのいずれの位置にあってもよいが、パラの位置にあることが好ましい。しかしながら、Ｘがカルボキシル基である場合、２個のカルボキシル基はアゾ基に対して、３，４−又は３，５−の位置にあることが好ましい。
スルホン基の数は２個以下の数値であることが好ましく、即ちＸ及びＹの両方がスルホン基ではない。又、スルホン基よりもカルボキシル基の方が多いことが好ましい。
【００１５】
発色団としてのアントラキノン染料は、ヒドロキシ、Ｃ1〜Ｃ4−アルコキシ、フェノキシ、アミノ、モノ−又はジ−Ｃ1〜Ｃ4−アルキルアミノ、フェニルアミノ（特にトリルアミノ又はアセチルアミノフェニルアミノ）、ニトロ及びスルホネートから選択された置換分５個まで、特に４個までを有するのが好ましい。スルホン基は、アントラキノン核上に又は前記の置換分の上に存在していてもよい。
発色団としてのフタロシアニン染料は、ハロゲン、特に塩素及び臭素、Ｃ1〜Ｃ4−アルキル−又はフェニル−スルホンアミド及び特にスルホン基１〜４個から選択された末端置換分１０個までを有する銅フタロシアニンが好ましい。
【００１６】
発色団としてのトリフェンジオキサジン染料は、前記一般式（Ｉ）中の対称性染料を製造する為に、好ましくは結合基を介してアルキル基、カルボキシル基、カルボキシル基の塩、スルホン基及びスルホン基の塩からなる群より選ばれた化合物の少なくとも１種の原子団で置換された第２級アミン或いは第３級アミンの残基に付着する為の２，６−及び／又は３，７−位置にアミノ基又はヒドロキシ基を有する９，１０−ジハロ−１，５−ジスルホトリフェンジオキサジンが好ましい。
【００１７】
好ましい結合基は、アミノ基又はヒドロキシ基と反応する活性水素又はハロゲン原子を有する化合物から誘導される。従って、発色団は好ましくは１個のヒドロキシ基、より好ましくは１個のアミノ基を有する染料から、水素原子又は完全にヒドロキシ基又はアミノ基を除去することにより誘導される。引き続き発色団を誘導する染料は、好ましくは充分なアミノ基及び／又はヒドロキシ基、特にアミノ基を有し、これらを介して適当数の結合基に結合し、この際、他の発色団及び／又はアルキル基、カルボキシル基、カルボキシル基の塩、スルホン基及びスルホン基の塩からなる群より選ばれた化合物の少なくとも１種の原子団で置換された第２級アミン或いは第３級アミンの残基に結合することが出来る。
【００１８】
本発明の染料における好ましい発色団の例は、次の通りである。
１−ヒドロキシ−２−（１−〔４−スルホフェニルアゾ〕−６−スルホナフチ−４−イルアゾ）−３−スルホナフチ−７−イルアミノ、
１−ヒドロキシ−２−（１−〔４−スルホフェニルアゾ〕−６−スルホナフチ−４−イルアゾ）−３，６−ジスルホナフチ−７−イルアミノ、
１−ヒドロキシ−２−（１−〔４−スルホフェニルアゾ〕−ナフチ−４−イルアゾ）−３−スルホナフチ−７−イルアミノ、
３−（４−〔１−ヒドロキシ−３−スルホ−７−アミノナフチ−２−イルアゾ〕−６−スルホナフチ−１−イルアゾ）−４−スルホフェニルアミノ、
１−ヒドロキシ−２−（２−スルホフェニルアゾ）−３，６−ジスルホナフチ−８−イルアミノ、
【００１９】
３−〔１−アミノ−２−（４−ニトロフェニルアゾ）−３，６−ジスルホ−８−ヒドロキシナフチ−７−イルアゾ〕−４−スルホフェニルアミノ、
１−ヒドロキシ−２−（１−〔４−カルボキシフェニルアゾ〕−６−スルホ−ナフチ−４−イルアゾ）−３−スルホナフチ−７−イルアミノ、
１−ヒドロキシ−２−（１−〔２−スルホ−５−アミノフェニルアゾ〕−６−スルホナフチ−４−イルアゾ）−３−スルホナフチ−７−イルアミノ、
１−ヒドロキシ−２−（４−〔２，５−ジスルホフェニルアゾ〕−２−メトキシ−５−メチルフェニルアゾ）−３，６−ジスルホナフチ−８−イルアミノ、
１−ヒドロキシ−２−（２−スルホフェニルアゾ〕−３−スルホナフチ−６−イルアミノ、
【００２０】
１−ヒドロキシ−２−（１，５−ジスルホナフチ−２−イルアゾ）−３，６−ジスルホナフチ−８−イルアミノ、
３−〔１−アミノ−２−（４−〔４−アミノ−２−ヒドロキシフェニルアゾ）フェニルアミノ〕−３−スルホフェニルアゾ）−３，６−ジスルホ−８−ヒドロキシナフチ−７−イルアゾ〕−４−スルホフェニルアミノ、
３−（１−アミノ−２−（４−〔４−（２−アミノ−４−ヒドロキシフェニルアゾ）フェニルアミノ〕−３−スルホフェニルアゾ）−３，６−ジスルホ−８−ヒドロキシナフチ−７−イルアゾ〕−４−スルホフェニルアミノ、
９，１０−ジクロロ−１，５−ジスルホトリフェンジオキサジン−２，６−イル−ビス（アミノエチル）−アミノ、
銅アミノエチルアミノスルホニルフタロシアニントリスルホン酸、
銅アミノスルホニルフタロシアニンジスルホン酸、
５−（１−アミノ−２−スルホアントラキノン−４−イルアミノ）−２−スルホフェニルアミノ。
【００２１】
本発明の染料における２〜３価の結合基としては、例えば、後記表１に示す反応性基を有する反応性原子団を使用することが出来るが、これらに限定されるものでなく、各種の置換基及び付加型のものを使用することが出来る。
更に、発色団と反応性原子団は、全体としてアニオン性染料又は反応性染料でもよい。具体的な反応性染料を以下に挙げるが、これらに限定されるものではなく、又、複数使用してもよい。
【００２２】
Ｐｃ（ＳＯ3Ｈ）t（ＳＯ2−ＮＲ1−Ｌ−ＮＲ2−Ｘ−ＮＲ3−Ｇ）q  （Ｂ）
（式中、Ｐｃは含金フタロシアニン核、Ｒ1、Ｒ2及びＲ3は各々独立に、水素原子、アルキル基、置換アルキル基、アルケニル基、置換アルケニル基、アラルキル基又は置換アラルキル基を表す。Ｌは２価の有機連結基を表す。Ｘは、夫々独立に、カルボニル基又は下記（２）〜（４）式で示される基を表す。
【００２３】
【化７】
0003754718.tif 000007
【００２４】
各Ｚは夫々独立に、Ｃｌ、ＳＲ6又はＯＲ6を表し、各Ｙは夫々独立に水素原子、Ｃｌ、Ｚ、ＳＲ7又はＯＲ7を表し、各Ｅは夫々独立に、Ｃｌ又はＣＮを表す。Ｒ4、Ｒ5、Ｒ6及びＲ7は各々独立に、水素原子、アルキル基、置換アルキル基、アリール基、置換アリール基、アラルキル基又は置換アラルキル基を表し、Ｇは１又は２個のカルボキシル基で置換された無色有機残基を表し、ｔ＋ｑは３〜４の整数とする。）
【００２５】
一般式（Ｂ）で表される染料としては、例えば、以下の様なものが挙げられる。
【化８】
0003754718.tif 000008
【００２６】
Ａｒ1Ｎ＝ＮＪＸ（ＮＲ1ＬＮＲ2Ｘ）nＪＮ＝ＮＡｒ2    （Ｃ）
（式中、Ｊは下記式を表す。
【化９】
0003754718.tif 000009
Ａｒ1及びＡｒ2は、各々独立に、アリール基又は置換アリール基であって、Ａｒ1とＡｒ2の少なくとも１つが独立に、スルホン基及びカルボキシル基から選ばれる置換基を１個以上有する。Ｒ1及びＲ2は独立に、水素原子、アルキル基、置換アルキル基、アルケニル基又は置換アルケニル基を表し、Ｌは２価の有機連結基を表し、ｎは０又は１を表す。Ｘは夫々独立に、カルボニル基又は下記（２）〜（４）式で示される基を表す。
【００２７】
【化１０】
0003754718.tif 000010
Ｚは夫々独立に、Ｃｌ、ＳＲ5又はＯＲ5を表し、Ｙは夫々独立に、水素原子、Ｃｌ、Ｚ、ＳＲ6又はＯＲ6を表し、Ｅは夫々独立に、Ｃｌ又はＣＮを表す。Ｒ3、Ｒ4、Ｒ5及びＲ6は夫々独立に、水素原子、アルキル基、置換アルキル基、アルケニル基、置換アルケニル基、アリール基、置換アリール基、アラルキル基、置換アラルキル基を表す。）
【００２８】
又、一般式（Ｃ）で示される染料として、具体的には、例えば、以下の様なものが挙げられる。
【００２９】
【化１１】
0003754718.tif 000011
【００３０】
【化１２】
0003754718.tif 000012
【００３１】
遊離酸の形で一般式（Ｄ）を有する染料
【化１３】
0003754718.tif 000013
式中、Ａｒ及びＡｒ1は夫々独立にアリール基又は置換アリール基を示し、Ａｒ及びＡｒ1の少なくとも１つはスルホン基及びカルボキシル基から選ばれる置換基を有する。Ｊ及びＪ1は夫々独立に下記一般式（２）、（３）又は（４）で示される。
【００３２】
【化１４】
0003754718.tif 000014
【００３３】
Ｒ5は独立に、水素原子、アルキル基、置換アルキル基、アルコキシ基、ハロゲン原子、ＣＮ、ウレイド基及びＮＨＣＯＲ6から選択される。Ｒ6は水素原子、アルキル基、置換アルキル基、アリール基、置換アリール基、アラルキル基及び置換アラルキル基から選択される。Ｔはアルキル基を示し、Ｗは水素原子、ＣＮ、ＣＯＮＲ10Ｒ11、ピリジウム基又はカルボキシル基から選択される。ｍは炭素数２〜８のアルキレン鎖を示し、ＢはＨ、アルキル基及びカルボキシル基から選択される。Ｒ1、Ｒ2、Ｒ3、Ｒ4、Ｒ10及びＲ11は夫々独立に水素原子、アルキル又は置換アルキル基から選択され、Ｌは２価の有機結合基を示し、ｎは０又は１を示し、Ｘは独立にカルボニル基又は下記一般式（５）、（６）及び（７）で示される。
【００３４】
【化１５】
0003754718.tif 000015
Ｚは、ＯＲ7、ＳＲ7及びＣｌから選択され、Ｙは水素原子、Ｃｌ、ＣＮ及びＺから選択され、ＥはＣｌ及びＣＮから選択される。Ｒ7、Ｒ8及びＲ9は夫々独立にＨ、アルケニル基、置換アルケニル基、アルキル基、置換アルキル基、アリール基、置換アリール基、アラルキル基又は置換アラルキル基を示し、（ｉ）式（Ｉ）の化合物がスルホン基をもたない場合は、少なくとも２個のカルボキシル基及びチオカルボキシル基から選ばれる基を有し、（ii）式（Ｉ）の化合物はスルホン基が少なくともスルホン基と同数のカルボキシル基及びチオカルボキシル基から選ばれる基を有する。
【００３５】
【化１６】
0003754718.tif 000016
【００３６】
【化１７】
0003754718.tif 000017
【００３７】
【化１８】
0003754718.tif 000018
【００３８】
【化１９】
0003754718.tif 000019
Ｘ及びＹは夫々塩素原子、ＮＲ1Ｒ2、ＮＲ3Ｒ4を表し、Ｒ1及びＲ2は夫々水素原子、アルキル基、置換アルキル基、アリール基、置換アリール基、アラルキル基又は置換アラルキル基、アルコキシ基、置換アルコキシ基を、Ｒ3は水素原子、アルキル基、置換アルキル基、アルケニル基、置換アルケニル基、アラルキル基又は置換アラルキル基、アルコキシ基、置換アルコキシ基を表わし、Ｒ4はチオカルボキシル基又はカルボキシル基で置換された無色有機残基を表わし、又、Ｘ及びＹのうち少なくとも一方は塩素原子である。Ｚは
【００３９】
【化２０】
0003754718.tif 000020
でＲ5、Ｒ6は夫々スルホン基、カルボキシル基、アルキル基、置換アルキル基を表わし、Ｒ7はスルホン基又はカルボキシル基を表わす。
【００４０】
本発明に使用するイエロー染料としては、例えば、Ｃ．Ｉ．リアクティブイエロー２、３、１５、１８、２３、２４、２４：１、２５、２７、３７、４２、５７、７６、８１、８４、８５、８７、８８、９１、９２、９３、９５、１０２、１１１、１１６、１３５、１３６、１３７、１３８、１４２、１４３、１４５、１５１、１６０、１６１、１６２、１６３、１６４、１６５、１６６、１６７、１６８、１７５、１７８及び１７９が挙げられる。
【００４１】
本発明に使用するレッド染料としては、例えば、Ｃ．Ｉ．リアクティブレッド１、３、３：１、４、７、８、９、１２、１３、１７、２１、２２、２３、２４、２９、３１、３３、３５、４１、４３、４５、４９、５５、５６、６３、８８、９６、１０６、１１１、１１２、１１３、１１４、１２０、１２６、１２８、１３０、１３１、１４１、１７１、１７４、１８０、１８３、１８４、１８７、１９０、１９３、１９４、１９５、２０４、２１８、２１９、２２０、２２１、２２２、２２３、２２４、２２６、２２８、２２９、２３５、２３６、２３７、２４０、２４１、２５３及び２５６が挙げられる。
【００４２】
本発明に使用するシアン染料としては、例えば、Ｃ．Ｉ．リアクティブブルー１５、２１、２５、４１、６３、７２、７７、１９０、２０７、２２７及び２３１が挙げられる。
本発明に使用するブラック染料としては、例えば、Ｃ．Ｉ．リアクティブブラック１、５、８、１３、１４、３１、３４及び３９が挙げられる。
【００４３】
本発明に使用するオレンジ染料としては、例えば、Ｃ．Ｉ．リアクティブオレンジ５、７、１２、１３、１４、１５、１６、３３、３５、５６、７２、７２：１、７４、８２、８４、９２、９３、９５、９９及び１６４が挙げられる。
本発明に使用するブラウン染料としては、例えば、Ｃ．Ｉ．リアクティブブラウン１、２、７、８、９、１１、１７、１８、２１、３１、３２、３３、４６及び４７が挙げられる。
本発明に使用するグリーン染料としては、例えば、Ｃ．Ｉ．リアクティブグリーン８、１２、１５及び１９が挙げられる。
【００４４】
本発明に使用するバイオレット染料としては、例えば、Ｃ．Ｉ．リアクティブバイオレット１、２、４、５、６、２２、３６及び３８が挙げられる。
本発明に使用するブルー染料としては、例えば、Ｃ．Ｉ．リアクティブブルー２、４、５、７、１３、１４、１９、２７、２８、３８、３９、４９、５２、７９、８１、１０４、１１９、１２２、１４７、１６０、１６２、１６６、１７６、１８２、１８４、１８７、１９１、１９４、１９５、１９８、２０３、２０４、２０９、２１１、２１４、２１６、２１７、２２０、２２１、２２２、２２８、２３０及び２３５が挙げられる。
【００４５】
この様な染料は１個以上のアミノ基又はヒドロキシ基を有する染料と塩化シアヌル、ポリクロロピリミジン又はキノキサリン等の活性塩素原子を有する化合物との反応により得ることが出来る。カルボニル基、スルホニル基又はメチレン結合基を有する染料はホスゲン、ホルムアルデヒド又はクロロスルホン酸とアルキル基、カルボキシル基、カルボキシル基の塩、スルホン基及びスルホン基の塩からなる群から選ばれる化合物の少なくとも１種の原子団で置換された第２級アミン又は第３級アミンの少なくとも一方を含む化合物の基との反応により得ることが出来る。
【００４６】
【表１】
0003754718.tif 000021
【００４７】
本発明で使用される反応性原子団と反応する、一般式Ｉ−１〜５に記載のＩＭは単独化合物の状態で、下記一般式（II）で表わされる化合物であるのが好ましい。
【００４８】
【化２１】
0003754718.tif 000022
（上記式（II）中、Ｒ1は炭素数１〜４８のアルキル基又は水素原子を、Ｒ2は、−(ＣＨ2)a−Ｘ1又は水素原子を、Ｒ3は、−(ＣＨ2)b−Ｘ2、Ｒ4−[Ｎ(（ＣＨ2)h−Ｘ4）ＣmＨ2m]e（ＮＨＣpＨ2p)f−又は水素原子を、Ｒ4は炭素数１〜４８のアルキル基又は水素原子を表わす。Ｘ1、Ｘ2、Ｘ3及びＸ4は、夫々カルボキシル基、カルボキシル基の塩、スルホン基、スルホン基の塩及び水素原子から選ばれる。ａ及びｂは１〜７の整数を、ｃ＋ｄ及びｅ＋ｆは０〜５０の整数を、ｇ及びｈは１〜４の整数を、ｌ（エル）、ｎ、ｍ及びｐは２〜４の整数を表わす。但し、一般式（II）の化合物は少なくとも１個のカルボキシル基、カルボキシル基の塩、スルホン基又はスルホン基の塩を有し、且つ少なくとも２個の窒素原子を有する。）
【００４９】
又、一般式（II）のなかで、特に好ましくは、少なくとも１個のカルボキシル基又はカルボキシル基の塩を持つものである。
更に、具体的に考えられるものを塩の状態で以下に挙げるが、これらに限定されるものではなく、又、複数使用してもよい。
【００５０】
（化合物１）
【化２２】
0003754718.tif 000023
（化合物２）
【化２３】
0003754718.tif 000024
（化合物３）
【化２４】
0003754718.tif 000025
【００５１】
（化合物４）
【化２５】
0003754718.tif 000026
（化合物５）
【化２６】
0003754718.tif 000027
【００５２】
（化合物６）  Ｃ15Ｈ31(ＮＨＣ2Ｈ4)2ＮＨＣＨ2ＣＯＯＮａ
（化合物７）  Ｃ15Ｈ31ＮＨＣ2Ｈ4ＣＯＯＬｉ
（化合物８）  Ｃ3Ｈ7(ＮＨＣ2Ｈ4)2ＮＨＣＨ2ＣＯＯＮａ
（化合物９）  Ｃ12Ｈ25ＮＨＣ2Ｈ4ＣＯＯＮａ
（化合物１０）  Ｃ12Ｈ25(ＮＨＣ2Ｈ4)ＮＨＣＨ2ＣＯＯＬｉ
【００５３】
（化合物１１）  Ｃ12Ｈ25(ＮＨＣ2Ｈ4)ＮＨ・Ｃ2Ｈ4ＳＯ3Ｌｉ
（化合物１２）  Ｃ15Ｈ31(ＮＨＣ2Ｈ4)ＮＨＣＨ2ＳＯ3Ｎａ
（化合物１３）  Ｃ20Ｈ41(ＮＨＣ2Ｈ4)ＮＨＣＨ2ＳＯ3ＮＨ4
（化合物１４）  Ｃ15Ｈ31(ＮＨＣ2Ｈ4)2ＮＨＣ2Ｈ4ＣＯＯＮＨ4
（化合物１５）  Ｃ25Ｈ51(ＮＨＣ2Ｈ4)3ＮＨＣＨ2ＳＯ3Ｌｉ
（化合物１６）Ｃ15Ｈ31(ＮＨＣ2Ｈ4)ＮＨＣＨ2ＳＯ3ＨＮ(ＣＨ2ＣＨ3)3
【００５４】
（化合物１７）
Ｃ10Ｈ21(ＮＨＣ2Ｈ4)3ＮＨＣ2Ｈ4ＣＯＯＨ・ＮＨ(ＣＨ2ＣＨ3)2
（化合物１８）  Ｃ12Ｈ25(ＮＨＣ2Ｈ4)2ＮＨＣＨ2ＣＯＯＮＨ4
（化合物１９）  Ｃ5Ｈ11(ＮＨＣ2Ｈ4)2ＮＨＣＨ2ＣＯＯＮａ
（化合物２０）  Ｃ7Ｈ15(ＮＨＣ2Ｈ4)2ＮＨＣ2Ｈ4ＣＯＯＮａ
（化合物２１）  Ｃ12Ｈ25(ＮＨＣ2Ｈ4)4ＮＨＣＨ2ＣＯＯＮａ
【００５５】
（化合物２２）
【化２７】
0003754718.tif 000028
（化合物２３）
【化２８】
0003754718.tif 000029
（化合物２４）  Ｃ12Ｈ25ＮＨＣ3Ｈ6ＮＨＣＨ2ＣＯＯＮＨ4
（化合物２５）  Ｃ12Ｈ25ＮＨＣ3Ｈ6ＮＨＣ2Ｈ4ＣＯＯＮａ
（化合物２６）  Ｃ8Ｈ17Ｎ(ＣＨ3)Ｃ2Ｈ4ＮＨＣ3Ｈ6ＮＨＣ2Ｈ4ＣＯＯＮａ
（化合物２７）  Ｃ12Ｈ25ＮＨＣ3Ｈ6ＮＨＣ2Ｈ4ＣＯＯＬｉ
【００５６】
【化２９】
（化合物２８）
0003754718.tif 000030
【００５７】
本発明のインクは前記一般式（Ｉ）で示される染料を液媒体に添加してなる。一般式（Ｉ）で示される染料は色調合せ等の為に２種以上混合してもよい。インク中での染料の含有量としては、用途、目的、色材種、インク組成及び被記録材等によって変化するが、好ましくはインク全量に対して０．１〜１５．０重量％、更に好ましくは０．５〜１０．０重量％の範囲である。
【００５８】
インクの物理的な粘度変化で耐水性を向上させる為、インクのｐＨは８以上が好ましい。しかしながら、例えば、インクジェット記録方法に用いることを考えた場合、吐出性、目詰り性等の信頼性を考えるとｐＨは８．５以上、更に好ましくは９．０以上である。又、本発明のインクは、酢酸リチウムや水酸化リチウムでｐＨ調整を行ってもよい。
尚、本発明のインクは上記成分の他に必要に応じて水溶性有機溶剤、界面活性剤、防錆剤、防腐剤、防カビ剤、酸化防止剤、蒸発促進剤、キレート化剤、水溶性ポリマー等の種々の添加剤を添加してもよい。
【００５９】
本発明で使用される液媒体は、水と水溶性有機溶剤との混合物であることが好ましい。具体的な水溶性有機溶剤の例としては、例えば、ジメチルホルムアミド、ジメチルアセトアミド等のアミド類；アセトン等のケトン類；テトラヒドロフラン、ジオキサン等のエーテル類；ポリエチレングリコール、ポリプロピレングリコール等のポリアルキレングリコール類；エチレングリコール、プロピレングリコール、ブチレングリコール、トリエチレングリコール、１、２、６−ヘキサントリオール、チオジグリコール、ヘキシレングリコール、ジエチレングリコール等のアルキレン基が２〜６個の炭素原子を含むアルキレングリコール類；グリセリン；エチレングリコールモノメチル（又はエチル）エーテル、ジエチレングリコールモノメチル（又はエチル）エーテル、トリエチレングリコールモノメチル（又はエチル）エーテル等の多価アルコールの低級アルキルエーテル類；Ｎ−メチル−２−ピロリドン、１、３−ジメチル−２−イミダゾリジノン、トリエタノールアミン、スルホラン、ジメチルサルフォオキサイド、２−ピロリドン、ε−カプロラクタム等の環状アミド化合物及びスクシンイミド等のイミド化合物等が挙げられる。
【００６０】
上記水溶性有機溶剤の含有量は、一般にはインクの全重量に対して重量％で１％〜４０％が好ましく、より好ましくは３％〜３０％の範囲である。
又、インク中の水の含有量は、３０〜９５重量％の範囲で使用される。３０重量％より少ないと染料の溶解性等が悪くなり、インクの粘度も高くなる為好ましくない。一方、９５重量％より多いと蒸発成分が多すぎて、十分な固着特性を満足することが出来ない。
【００６１】
本発明の目的である耐水性とインクの信頼性を考えるならば、アンモニア等の揮発性アミンとトリエタノールアミン等のアルコールアミンを併用することが好ましい。インク中への含有量としては、インク全重量に対して０．０１重量％〜２０重量％、好ましくは０．０５〜１０重量％、更に好ましくは０．１〜５重量％であり、又、これらは一般式（Ｉ）の染料の対イオンとして含有されてもよい。又、揮発性アミンとアルコールアミンの比は２０：１〜１．２、好ましくは１０：１〜１．１である。
【００６２】
又、コゲ性防止や目詰り防止等のインクジェット適性を考えるならば、ナトリウム、リチウム、カリウム等の金属イオンが含まれているのが好ましい。含有量としてはインク全重量に対して０．０１重量％〜２０重量％、好ましくは０．０５〜１０重量％、更に好ましくは０．１〜５重量％である。又、これらは一般式（Ｉ）の染料の対イオンとして含有していても差し支えない。
本発明において一般式（Ｉ）で示される染料を含むインクは、ＥＤＴＡ等のジアミン系の化合物やクエン酸等のトリカルボン酸化合物、マレイン酸、コハク酸、アスパラギン酸等のジカルボン酸化合物、燐酸化合物や、硫酸アンモニウム、塩酸アンモニウム、硫酸ナトリウム、燐酸系のナトリウム塩等の強酸塩を併用することが好ましい。
【００６３】
一般式（Ｉ）の染料はインク中の無機イオンである不純物により、例えば、インクジェット記録方法において、コゲという問題を発生させる為、この様なインクの悪影響を防止する為に含有した方がよい。但し、これらのコゲ防止剤も熱エネルギーを伝えるヒーターの表面状態と相関関係がある為、場合によっては未添加でもよい。又、インク中の無機イオンが１ｐｐｍ、好ましくは０．５ｐｐｍ以下であれば添加しなくてもよい。それらのインク中への含有量はインク全重量に対して０．０１〜１０重量％、好ましくは０．０５〜５重量％、更に好ましくは０．１〜３重量％である。
【００６４】
又、本発明の一般式（Ｉ）で示される染料を含むインク中に尿素、チオ尿素及びそれらの誘導体を併用することが好ましい。これはインク中で一般式（Ｉ）の染料の溶解安定性を保つ為に（インク中で一般式（Ｉ）の染料自身又は染料同士の相互作用を防止する為に）、含有することが好ましい。インク中への含有量はインク全重量に対して０．１〜２０重量％、好ましくは１〜１５重量％、更に好ましくは２〜１０重量％である。
【００６５】
又、インクの定着剤として一価アルコールを添加してもよい。又、非イオン性界面活性剤も定着剤として機能する。これらは異なった色調を印字した場合、その境界で生じる混色滲みを防止する為には必要となる。又、一般式（Ｉ）の染料のインク中での溶解性を安定向上させるという意味でもインク中に含有している方が好ましい。その場合、インク中への添加量と効果を考えるならば非イオン界面活性剤の方が好ましい。
【００６６】
一価アルコールの具体例としてはエタノール、イソプロピルアルコール及びｎ−ブタノール等が挙げられる。
非イオン界面活性剤としては、ポリオキシエチレンアルキルエーテル、ポリオキシエチレンフェニルエーテル、ポリオキシエチレン−ポリオキシオプロピレングリコール、ポリオキシエチレン−ポリオキシプロピレンアルキルエーテル、アセチレングリコールポリエチレンオキサイド付加物等が挙げられるが、好ましくはノニルフェニルエーテルＥＯ付加体、エチレンオキサイド−プロピレンオキサイド共重合体（ＥＯ−ＰＯ共重合体）、アセチレングリコールポリオキシエチレンオキサイド付加物が好ましく、より好ましくは下記一般式（III）で表されるアセチレングリコールポリオキシエチレンオキサイド付加物（アセチレングリコールＥＯ付加物）である。
【００６７】
【化３０】
0003754718.tif 000031
上記一価アルコール又は非イオン界面活性剤のインクの含有量は、インク全重量に対して０．１〜２０重量％、好ましくは０．５〜１０重量％である。０．１重量％より少ないと定着剤としての効果がなく、又、２０重量％より多いと印字品位のバランス、例えば、濃度や定着性やヒゲ状の滲みであるフェザリングと定着性や濃度とのバランスが悪くなる。
【００６８】
本発明のインクは、熱エネルギーによるインクの発泡現象によりインクを吐出させるタイプのインクジェット記録方法に適用する場合に特に好適であり、吐出が極めて安定となり、サテライトドットの発生等が生じないという特徴がある。但しこの場合には、熱的な物性値（例えば、比熱、熱膨張係数、熱伝導率等）を調整する場合もある。
【００６９】
更に、本発明のインクは普通紙等に記録した場合の印字記録物のインクの耐水性の問題を解決すると同時に、インクジェット用ヘッドに対するマッチングを良好にする面から、インク自体の物性として２５℃における表面張力が３０〜６８ｄｙｎｅ／ｃｍ、粘度が１５ｃＰ以下、好ましくは１０ｃＰ以下、より好ましくは５ｃＰ以下に調整されることが望ましい。
従って、上記物性にインクを調整し、普通紙における問題を解決する為には、本発明のインク中に含有される水分量としては５０重量％以上９８重量％以下、好ましくは６０重量％以上９５重量％以下とされるのが好適である。
【００７０】
本発明のインクは、熱エネルギーの作用により液滴を吐出させて記録を行なうインクジェット記録方法にとりわけ好適に用いられるが、一般の筆記具用としても使用出来る。
本発明のインクを用いて記録を行うのに好適な方法及び装置としては、記録ヘッドの室内のインクに記録信号に対応した熱エネルギーを与え、該熱エネルギーにより液滴を発生させる方法及び装置が挙げられる。
【００７１】
その装置の主要部であるヘッド構成例を、図１、図２及び図３に示す。ヘッド１３は、インクを通す溝１４を有するガラス、セラミック又はプラスチック板等と、感熱記録に用いられる発熱ヘッド１５（図では薄膜ヘッドが示されているが、これに限定されるものではない。）とを接着して得られる。発熱ヘッド１５は、酸化シリコン等で形成される保護膜１６、アルミニウム電極１７−１及び１７−２、ニクロム等で形成される発熱抵抗体層１８、蓄熱層１９、及びアルミナ等の放熱性の良い基板２０より成っている。
【００７２】
インク２１は吐出オリフィス（微細孔）２２まで来ており、圧力Ｐによりメニスカス２３を形成している。
今、アルミニウム電極１７−１及び１７−２に電気信号情報が加わると、発熱ヘッド１５のｎで示される領域が急激に発熱し、ここに接しているインク２１に気泡が発生し、その圧力でメニスカス２３が突出し、インク２１が吐出しインク小滴２４となり、吐出オリフィス２２より被記録材２５に向って飛翔する。
【００７３】
図３には図１に示すヘッドを多数並べたマルチヘッドの外観図を示す。該マルチヘッドはマルチ溝２６を有するガラス板２７と、図１で説明したものと同様の発熱ヘッド２８を密着して作製されている。
尚、図１は、インク流路に沿ったヘッド１３の断面図であり、図２は図１のＡ−Ｂ線での断面図である。
【００７４】
図４に、上記ヘッドを組み込んだインクジェット記録装置の一例を示す。
図４において、６１はワイピング部材としてのブレードであり、その一端はブレード保持部材によって保持されて固定端となり、カンチレバーの形態をなす。ブレード６１は記録ヘッド６５による記録領域に隣接した位置に配置され、又、本例の場合、記録ヘッド６５の移動経路中に突出した形態で保持される。
６２は記録ヘッド６５の吐出口面のキャップであり、ブレード６１に隣接するホームポジションに配設され、記録ヘッド６５の移動方向と垂直な方向に移動して、インク吐出口面と当接し、キャッピングを行う構成を備える。更に、６３はブレード６１に隣接して設けられるインク吸収体であり、ブレード６１と同様、記録ヘッド６５の移動経路中に突出した形態で保持される。
【００７５】
上記ブレード６１、キャップ６２及びインク吸収体６３によって吐出回復部６４が構成され、ブレード６１及びインク吸収体６３によってインク吐出口面の水分、塵挨等の除去が行われる。
６５は吐出エネルギー発生手段を有し、吐出口を配した吐出口面に対向する被記録材にインクを吐出して記録を行う記録ヘッド、６６は記録ヘッド６５を搭載してその移動を行う為のキャリッジである。
キャリッジ６６はガイド軸６７と摺動可能に係合し、キャリッジ６６の一部はモーター６８によって駆動されるベルト６９と接続（不図示）している。これによりキャリッジ６６はガイド軸６７に沿った移動が可能となり、記録ヘッド６５による記録領域及びその隣接した領域の移動が可能となる。
【００７６】
５１は被記録材を挿入する為の給紙部、５２は不図示のモーターにより駆動する紙送りローラーである。これらの構成によって記録ヘッド６５の吐出口面と対向する位置へ被記録材が給紙され、記録が進行するにつれて排紙ローラー５３を配した排紙部へ排紙される。
【００７７】
上記構成において記録ヘッド６５が記録終了等でホームポジションに戻る際、吐出回復部６４のキャップ６２は記録ヘッド６５の移動経路から退避しているが、ブレード６１は移動経路中に突出している。この結果、記録ヘッド６５の吐出口面がワイピングされる。尚、キャップ６２が記録ヘッド６５の吐出面に当接してキャッピングを行う場合、キャップ６２は記録ヘッドの移動経路中に突出する様に移動する。
【００７８】
記録ヘッド６５がホームポジションから記録開始位置へ移動する場合、キャップ６２及びブレード６１は、上述したワイピング時の位置と同一の位置にある。この結果、この移動においても記録ヘッド６５の吐出口面はワイピングされる。上述の記録ヘッド６５のホームポジションへの移動は、記録終了時や吐出回復時ばかりでなく、記録ヘッド６５が記録の為に記録領域を移動する間に所定の間隔で記録領域に隣接したホームポジションへ移動し、この移動に伴って上記ワイピングが行われる。
【００７９】
図５は、ヘッドにインク供給部材、例えば、チューブを介して供給されるインクを収容したインクカートリッジ４５の一例を示す図である。
ここで、４０は供給用インクを収容したインク収容部、例えば、インク袋であり、その先端にはゴム製の栓４２が設けられている。この栓４２に針（不図示）を挿入することにより、インク袋４０中のインクをヘッドに供給可能ならしめる。４４は廃インクを受容するインク吸収体である。
インク収容部としては、インクとの接液面がポリオレフィン、特にポリエチレンで形成されているものが本発明にとって好ましい。
【００８０】
本発明で使用されるインクジェット記録装置としては、上記の如きヘッドとインクカートリッジとが別体となったものに限らず、図６に示す如きそれらが一体になったものにも好適に用いられる。
図６において、７０は記録ユニットであって、この中にはインクを収容したインク収容部、例えば、インク吸収体が収納されており、かかるインク吸収体中のインクが複数のオリフィスを有するヘッド部７１からインク滴として吐出される構成になっている。
【００８１】
インク吸収体の材料としては、ポリウレタン、セルロース又はポリビニルアセタールを用いることが本発明にとって好ましい。７２は記録ユニット内部を大気に連通させる為の大気連通口である。この記録ユニット７０は、図４で示す記録ヘッドに代えて用いられるものであって、キャリッジ６６に対し着脱自在になっている。
【００８２】
【実施例】
次に合成例、実施例及び比較例を挙げて本発明を更に具体的に説明する。尚、文中、「部」及び「％」とあるのは特に断りのない限り重量基準である。
（合成例）
本発明のインク中に含まれる一般式（Ｉ）の染料は以下の方法で製造した。
（製造法）下記一般式（ａ）
【化３１】
0003754718.tif 000032
で表されるアミン類を塩酸、硫酸等の鉱酸中で亜硝酸ソーダを用いてジアゾ化した後、下記一般式（ｂ）
【化３２】
0003754718.tif 000033
で表されるアミン類とカップリングさせて下記一般式（ｃ）
【化３３】
0003754718.tif 000034
で表されるモノアゾ化合物を得る。
【００８３】
このモノアゾ化合物を同様に塩酸、硫酸等の鉱酸中で亜硝酸ソーダ等を用いてジアゾ化した後、下記一般式（ｄ）
【化３４】
0003754718.tif 000035
で表されるナフトールとカップリングして下記一般式（ｅ）
【化３５】
0003754718.tif 000036
で表されるジスアゾ化合物を得る。
【００８４】
このジスアゾ化合物と、例えば、塩化シアヌル（トリクロロトリアジン）とを反応させて下記一般式（ｆ）
【化３６】
0003754718.tif 000037
で表されるジスアゾ化合物を得る（この時一般式（ｆ）は他の反応性染料でもよい）。
【００８５】
その後希アルカリ水中で水温８０℃前後の環境に一般式（ｆ）及びアルキル基、カルボキシル基、カルボキシル基の塩、スルホン基及びスルホン基の塩からなる群より選ばれた化合物の少なくとも１種の原始団で置換された第２級アミン又は第３級アミンの少なくとも一方を含む化合物やその他の置換してもよい化合物と共に２４時間撹拌することにより、目的の一般式（Ｉ）の染料を得ることが出来る。
次に前記合成方法を用いて以下の１２種の染料を合成し、それを用いて実施例１〜１３のインクを調製した。又、この場合対イオンはアンモニウム塩とした。又、夫々の染料中のＸ及びＹとして示された化合物名は、合成例の後に記載した。
【００８６】
【化３７】
0003754718.tif 000038
【００８７】
【化３８】
0003754718.tif 000039
【００８８】
【化３９】
0003754718.tif 000040
【００８９】
【化４０】
0003754718.tif 000041
【００９０】
【化４１】
0003754718.tif 000042
【００９１】
【化４２】
0003754718.tif 000043
【００９２】
（インクの調製）
実施例１
合成例１の染料                                              ２．２部
グリセリン                                                      ５部
チオグリコール                                                  ５部
一般式(III）のアセチレングリコールＥＯ付加物                    １部
尿素                                                            ５部
ＮａＯＨ                                                    ０．１部
純水                                                      ８１．７部
【００９３】
実施例２
合成例２の染料                                              ２．５部
プロピレングリコール                                            ７部
グリセリン                                                      ３部
尿素                                                            ５部
純水                                                      ８２．５部
【００９４】
実施例３
合成例３の染料                                              ２．７部
チオグリコール                                                  ７部
グリセリン                                                      ４部
尿素                                                            ４部
イソプロピルアルコール                                          ４部
硫酸アンモニウム                                            ０．３部
純水                                                          ７８部
【００９５】
参考例１
参考合成例４の染料                                              ３部
プロピレングリコール                                          １０部
クエン酸のトリエタノールアミン塩                                １部
ピロリドン                                                      ５部
純水                                                          ８１部
【００９６】
実施例５
合成例５の染料                                                  ３部
グリセリン                                                      ５部
チオグリコール                                                  ５部
一般式(III）のアセチレングリコールＥＯ付加物                    １部
尿素                                                            ５部
ＬｉＯＨ                                                    ０．１部
純水                                                      ８０．９部
【００９７】
参考例２
参考合成例６の染料                                              ３部
チオグリコール                                                １０部
コハク酸イミド                                                  ２部
尿素                                                            ５部
トリエタノールアミン                                        ０．５部
純水                                                      ７９．５部
【００９８】
実施例７
合成例７の染料                                                  ３部
チオグリコール                                                １０部
一般式(III）のアセチレングリコールＥＯ付加物                    １部
尿素                                                            ５部
純水                                                          ８１部
【００９９】
実施例８
合成例８の染料                                                  ３部
ジプロピレングリコール                                          ５部
チオグリコール                                                  ５部
一般式(III）のアセチレングリコールＥＯ付加物                    １部
尿素                                                            ５部
酢酸リチウム                                                ０．５部
純水                                                      ８０．５部
【０１００】
実施例９
合成例９の染料                                              ２．５部
プロピレングリコール                                            ５部
グリセリン                                                      ５部
プロピレン尿素                                                  ５部
一般式(III）のアセチレングリコールＥＯ付加物                １．２部
ＮａＯＨ                                                    ０．２部
純水                                                      ８１．１部
【０１０１】
実施例１０
合成例１０の染料                                            ２．５部
ジエチレングリコール                                            ７部
チオジグリコール                                                ５部
酢酸リチウム                                                ０．２部
１，１−ジエチル尿素                                            ２部
純水                                                      ８３．３部
【０１０２】
実施例１１
実施例１のインクを塩酸でｐＨ８．５にした。
実施例１２
合成例１１の染料                                                ２部
プロピレングリコール                                            ５部
チオジグリコール                                                ７部
一般式（III）のアセチレングリコールＥＯ付加物              １．５部
純水                                                      ８４．５部
【０１０３】
実施例１３
合成例１２の染料                                                ２部
２−ピロリドン                                                  ５部
グリセリン                                                      ５部
尿素                                                            ５部
純水                                                          ８３部
比較例１〜１０
実施例１〜３、５、７〜１０及び参考例１、２に使用した染料を下記の染料１〜１０のアンモニウム塩に代え、他は実施例１〜３、５、７〜１０及び参考例１、２と同様にして比較例のインクを作製した。
【０１０４】
【化４３】
0003754718.tif 000044
【０１０５】
【化４４】
0003754718.tif 000045
【０１０６】
次に、上記で得られた実施例１〜３、５、７〜１３、参考例１、２及び比較例１〜１０のインクを用いて、インクジェット記録装置として、発熱素子をインクの吐出エネルギー源として利用したオンデマンド型インクジェットプリンターを利用して印字試験を行い、（１）耐水性、（２）周波数応答性、（３）印字品位、（４）コゲ性の評価及び（５）カラー画像における異なった色調のインクの付与領域間での境界滲みの発生の評価を、下記基準に従って夫々行った。尚、上記のインクジェット記録装置の印字条件は、駆動電圧２６Ｖ、発熱抵抗体１５Ω、周波数４ＫＨｚで行った。得られた結果を表２に示す。
【０１０７】
［評価方法及び評価基準］
（１）耐水性（Ａ）
プリンターに所定のインクを充填して、市販の酸性紙に英数文字及びベタ部を印字した後、プリントを停止し、印字物を印字直後、印字濃度をマクベスＲＤ９１５（商品名：マクベス社製）にて測定を行う。その後、印字物を水を満たした容器に３分間浸漬した後、放置及び乾燥して再度印字濃度を測定し、印字物濃度の残存率を求め、耐水性の評価とした。
○：印字物濃度の残存率が８０％以上。
△：印字物濃度の残存率が６５％以上〜８０％未満。
×：印字物濃度の残存率が６５％未満。
【０１０８】
耐水性（Ｂ）
プリンターに所定のインクを充填して、市販の中性紙に英数文字及びベタ部を印字した後、プリントを停止し、印字物を印字直後、印字濃度をマクベスＲＤ９１５（商品名：マクベス社製）にて測定を行う。その後、印字物を水を満たした容器に３分間浸漬した後、放置、乾燥して再度印字濃度を測定し、印字物濃度の残存率を求め、耐水性の評価とした。
○：印字物濃度の残存率が８０％以上。
△：印字物濃度の残存率が６５％以上〜８０％未満。
×：印字物濃度の残存率が６５％未満。
【０１０９】
（２）周波数応答性
得られた印字物の印字状態、即ちカスレや白抜け状態及びスブラッシュやヨレ等の着弾点不良状態を肉眼で観察し、評価した。
○：周波数に対するインクの追従状態は、ほぼ良好であり、キャラクタ印字ではカスレや白抜け、着弾点不良がみられないが、ベタ印字において僅かにカスレが見られる。
△：キャラクタ印字ではカスレや白抜けは見られないが、一部に着弾点不良が見られる。又はベタ印字ではカスレ、白抜けがベタ印字全体の１／３程度見られる。
×：ベタ印字ではカスレ、白抜けが多く、又、キャラクタ印字においてもカスレや着弾点不良が多数見られる。
【０１１０】
（３）印字品位の評価（Ａ）
プリンターで市販の酸性紙に英数文字を印字し、印字物を１時間以上放置した後、顕微鏡及び目視で文字のシャープさや文字より発生するヒゲ状の滲みの度合いを評価した。
◎：文字がシャープでヒゲ状の滲みがない。
○：文字がシャープさに欠ける。ヒゲ状の滲みがない。
△：文字にシャープさがない。又はヒゲ状の滲みが少し多い。
×：文字にシャープさがなく、ヒゲ状の滲みも多い。
【０１１１】
印字品位の評価（Ｂ）
プリンターで市販の中性紙に英数文字を印字し、１時間以上放置した後、顕微鏡及び目視で文字のシャープさや文字より発生するヒゲ状の滲みの度合いを評価した。
◎：文字がシャープでヒゲ状の滲みがない。
○：文字がシャープであるが、ヒゲ状の滲みが少し発生。
△：文字にシャープさがない。又はヒゲ状の滲みが多い。
×：文字にシャープさがなく、ヒゲ状の滲みも多い。
【０１１２】
（４）コゲの評価
前記条件でインクジェットカラープリンターＢＪ１０（商品名  キヤノン製）で英文字を６万字印字し、その後ヒーター面を観察した。
○：ヒーター面上が使用前後で殆ど変わらない。
△：ヒーター面上に少量の堆積物が認められた。
×：ヒーター面全体に堆積物が認められた。
【０１１３】
（５）カラー画像における異なった色調のインクの付与領域間での境界滲みの評価
実施例１、実施例５、実施例７及び実施例８のインクを組み合わせて実施例１４のインクとし、インクジェットカラープリンターＢＪＣ６００（商品名；キヤノン（株）製）で異なった色調のインクの付与領域間での境界滲みの評価を行った。又、比較例１、比較例５、比較例７及び比較例８のインクを組み合わせて比較例１１のインクとしての同様の評価をし、その結果を表３に示した。評価基準は、以下の通りにした。
○：異なった色調のインクの付与領域間での境界がシャープであり、境界滲みが見られない。
×：異なった色調のインクの付与領域間での境界がぼやけ、境界滲みが見られる。
【０１１４】
【表２】
0003754718.tif 000046
【０１１５】
【表３】
評価結果
0003754718.tif 000047
【０１１６】
合成例１３〜４８
合成例１〜１２と同様に、表４〜８に、反応性染料種を（Ａ）欄に、アルキル基、カルボキシル基、カルボキシル基の塩、スルホン基及びスルホン基の塩からなる群から選ばれた少なくとも１種の原子団で置換された第２級アミン或は第３級アミンを（Ｂ）欄に記載し、両者を８０℃の反応温度の条件で、２４時間撹拌し、目的の染料を合成した。
【０１１７】
【表４】
0003754718.tif 000048
【０１１８】
【表５】
0003754718.tif 000049
【０１１９】
【表６】
0003754718.tif 000050
【０１２０】
【表７】
0003754718.tif 000051
【０１２１】
【表８】
0003754718.tif 000052
【０１２２】
（実施例１５〜５０、比較例１２〜４７）
チオジグリコール１０．０部、純水８７．０部に合成例１３〜４８の夫々の染料３．０部を混合し、十分に撹拌して溶解後、ポアサイズ０．４５μｍのフロロポアフィルター（商品名；住友電工（株）製）にて加圧ろ過して３６種類のインクを調整し、実施例１５〜５０のインクとした。それらのインクを用いて実施例１と同様に耐水性、周波数応答性、印字品位を評価した。その結果、耐水性（Ａ）、耐水性（Ｂ）及び周波数応答性の評価は何れも○、印字品位Ａ及びＢの評価は何れも◎であった。
実施例１５〜５０で使用した染料合成に使用した反応性染料を単独で染料として使用したインクを比較例１２〜４７とし、実施例１５〜５０と同様に評価した。その結果、耐水性（Ａ）、耐水性（Ｂ）は何れも×、周波数応答性の評価は何れも○、印字品位Ａの評価は何れも△、印字品位Ｂの評価は何れも○であった。
【０１２３】
（実施例５１〜８６、比較例４８〜８３）
ジエチレングリコール１０．０部、エタノール３．０部、純水８４．５部に合成例１３〜４８の夫々の染料２．５部を混合し、十分に撹拌して溶解後、ポアサイズ０．４５μｍのフロロポアフィルター（商品名；住友電工（株）製）にて加圧ろ過して３６種類のインクを調整し、実施例５１〜８６のインクとした。それらのインクを用いて実施例１と同様に耐水性、周波数応答性、印字品位を評価した。その結果、耐水性（Ａ）、耐水性（Ｂ）及び周波数応答性の評価は何れも○、印字品位Ａ及びＢの評価は何れも◎であった。
実施例５１〜８６で使用した染料合成に使用した反応性染料を単独で染料として使用したインクを比較例４８〜８３とし、実施例５１〜８６と同様に評価した。その結果、耐水性（Ａ）、耐水性（Ｂ）は何れも×、周波数応答性の評価は何れも○、印字品位Ａの評価は何れも△、印字品位Ｂの評価は何れも○であった。
【０１２４】
（実施例８７〜１２２、比較例８４〜１１９）
２−ピロリドン５．０部、チオジグリコール５．０部、純水８７．３部に合成例１３〜４８の夫々の染料２．７部を混合し、十分に撹拌して溶解後、ポアサイズ０．４５μｍのフロロポアフィルター（商品名  住友電工（株）製）にて加圧ろ過して３６種類のインクを調整し、実施例８７〜１２２のインクとした。それらのインクを用いて実施例１と同様に耐水性、周波数応答性、印字品位を評価した。その結果、耐水性（Ａ）、耐水性（Ｂ）及び周波数応答性の評価は何れも○、印字品位Ａ及びＢの評価は何れも◎であった。
実施例８７〜１２２で使用した染料合成に使用した反応性染料を単独で染料として使用したインクを比較例８４〜１１９とし、実施例８７〜１２２と同様に評価した。その結果、耐水性（Ａ）、耐水性（Ｂ）は何れも×、周波数応答性の評価は何れも○、印字品位Ａの評価は何れも△、印字品位Ｂの評価は何れも○であった。
【０１２５】
（実施例１２３〜１５８、比較例１２０〜１５５）
ジプロピレングリコール７．０部、グリセリン３．０部、純水８７．０部に合成例１３〜４８の夫々の染料３．０部を混合し、十分に撹拌して溶解後、ポアサイズ０．４５μｍのフロロポアフィルター（商品名  住友電工（株）製）にて加圧ろ過して３６種類のインクを調整し、実施例１２３〜１５８のインクとした。それらのインクを用いて実施例１と同様に耐水性、周波数応答性、印字品位を評価した。その結果、耐水性（Ａ）、耐水性（Ｂ）及び周波数応答性の評価は何れも○、印字品位Ａ及びＢの評価は何れも◎であった。
実施例１２３〜１５８で使用した染料合成に使用した反応性染料を単独で染料として使用したインクを比較例１２０〜１５５とし、実施例１２３〜１５８と同様に評価した。その結果、耐水性（Ａ）、耐水性（Ｂ）は何れも×、周波数応答性の評価は何れも○、印字品位Ａの評価は何れも△、印字品位Ｂの評価は何れも○であった。
【０１２６】
【発明の効果】
以上の様に本発明によれば、一般オフィス等で使用されている酸性紙及び中性紙等の、いわゆる普通紙に対し印字記録をした場合、印字記録物の印字品位等に悪影響を与えることなく、印字記録物の耐水性を向上させ得る染料、インクを提供することが出来る。
更に、本発明によれば、保存性も良好であり、インクジェット記録システムに用いても何ら問題のない信頼性の高い記録を行うことが出来る。
【図面の簡単な説明】
【図１】インクジェット記録装置のヘッド部の縦断面図である。
【図２】図１のＡ−Ｂ線での切断図を示す横断面図である。
【図３】図１に示したヘッドをマルチ化したヘッドの外観斜視図である。
【図４】インクジェット記録装置の一例を示す斜視図である。
【図５】インクカートリッジの縦断面図である。
【図６】記録ユニットの斜視図である。
【符号の説明】
１３：ヘッド
１４：インク溝
１５，２８：発熱ヘッド
１６：保護膜
１７：アルミニウム電極
１８：発熱抵抗体層
１９：畜熱層
２０：基板
２１：インク
２２：吐出オリフィス（微細孔）
２３：メニスカス
２４：インク小滴
２５：被記録材
２６：マルチ溝
２７：ガラス板
４０：インク袋
４２：ゴム製の栓
４４：インク吸収体
４５：インクカートリッジ
５１：給紙部
５２：紙送りローラー
５３：排紙ローラー
６１：ワイピング部材
６２：キャップ
６３：インク吸収体
６４：吐出回復部
６５：記録ヘッド
６６：キャリッジ
６７：ガイド軸
６８：モーター
６９：ベルト
７０：インクジェットカートリッジ
７１：ヘッド部
７２：大気連通口
【図１】
0003754718.tif 000057
【図２】
0003754718.tif 000058
【図３】
0003754718.tif 000059
【図４】
0003754718.tif 000060
【図５】
0003754718.tif 000061
【図６】
0003754718.tif 000062